(57)【特許請求の範囲】
【請求項１】
ウォッシャタンクの注入口に取付けられるウォッシャタンク用キャップであって、上記ウォッシャタンクの注入口に嵌着される注入口取付部および該注入口取付部とは独立して上記ウォッシャタンクの注入口上に配置されるフィルタ取付部が形成され円環形にされたホルダ本体を有するホルダと、上記ホルダ本体のフィルタ取付部に円環形にされたベースが固定されるフィルタと、上記ホルダ本体の注入口取付部の外周部に基端部が連設されたヒンジと、該ヒンジの先端部が連設され、上記ホルダ本体に形成されたキャップ受にホルダ嵌着部が着脱自在に装着されて上記注入口及びフィルタを覆うキャップ部とを備え、上記ホルダ本体の注入口取付部と上記キャップ部とは、上記ヒンジを介して樹脂で一体に成形されており、上記円環形にされたホルダ本体の上記フィルタ取付部には、上記フィルタの円環形にされたベースが配置される座面が形成されているとともに、該フィルタ取付部には、上記フィルタを抜け止めるフィルタ抜止部が円周上に所定の間隔を置いて内周部に突出するように複数個形成されていることを特徴とするウォッシャタンク用キャップ。
【発明の詳細な説明】
【０００１】
【産業上の利用分野】
この発明は、自動車のウォッシャタンクの注入口に取付けられるウォッシャタンク用キャップに関する。
【０００２】
【従来の技術】
この種のウォッシャタンク用キャップとしては、ウォッシャタンクの注入口の大きさに合わせたウォッシャタンク用キャップが作成されていた。
【０００３】
【発明が解決しようとする課題】
前記したウォッシャタンク用キャップでは、ウォッシャタンク内にごみ等の異物が入るのを防止するため、ウォッシャタンクの注入口にフィルタを配置するが、通常、注入口には、フィルタを固定するための座面がないので、フィルタを取付けることができない。これに対し、ウォッシャタンクの注入口にフィルタ取付け用の座面を設けたものもあるが、ウォッシャタンクがブロー成形で作成されると、注入口内にフィルタ押え用の突起を形成することができないから、洗浄液が注入口から溢れるくらい注入された際にフィルタが浮き上がるという問題点があった。
【０００４】
【発明の目的】
この発明は、フィルタを極めて容易に取付けることができるウォッシャタンク用キャップを提供することを目的としている。
【０００５】
【発明の構成】
【０００６】
【課題を解決するための手段】
この発明の請求項１に係るウォッシャタンク用キャップでは、ウォッシャタンクの注入口に取付けられるウォッシャタンク用キャップであって、ウォッシャタンクの注入口に嵌着される注入口取付部および該注入口取付部とは独立してウォッシャタンクの注入口上に配置されるフィルタ取付部が形成され円環形にされたホルダ本体を有するホルダと、ホルダ本体のフィルタ取付部に円環形にされたべースが固定されるフィルタと、ホルダ本体の注入口取付部の外周部に基端部が連設されたヒンジと、該ヒンジの先端部が連設され、ホルダ本体に形成されたキャップ受にホルダ嵌着部が着脱自在に装着されて注入口及びフィルタを覆うキャップ部とを備え、ホルダ本体の注入口取付部とキャップ部とは、ヒンジを介して樹脂で一体に成形されており、円環形にされたホルダ本体のフィルタ取付部には、フィルタの円環形にされたベースが配置される座面が形成されているとともに、該フィルタ取付部には、フィルタを抜け止めるフィルタ抜止部が円周上に所定の間隔を置いて内周部に突出するように複数個形成されている構成としたことを特徴としている。
【０００７】
【発明の作用】
この発明に係るウォッシャタンク用キャップにおいて、ホルダは、円環形にされたホルダ本体に形成された注入口取付部がウォッシャタンクの注入口に嵌着され、フィルタは、該フィルタの円環形にされたベースがホルダ本体に形成されたフィルタ取付部に固定され、ホルダ本体の注入口取付部とヒンジを介して樹脂で一体に成形されたキャップ部のホルダ嵌着部がホルダに着脱自在に装着される。それ故、フィルタは、ウォッシャタンクの注入口に固定されずにホルダに固定される。
【０００８】
【発明の実施の形態】
【０００９】
【実施例】
図１ないし図５には、この発明に係るウォッシャタンク用キャップの第一実施例が示されている。
【００１０】
図示するウォッシャタンク用キャップ１は、ホルダ２、キャップ部３、フィルタ４から構成されている。ホルダ２とキャップ部３とは、ヒンジ５を介して樹脂で一体に成形されている。
【００１１】
ホルダ２には、円環形にされたホルダ本体２ａが備えられており、このホルダ本体２ａには、注入口取付部２ｂ、フィルタ取付部２ｃが形成されている。
注入口取付部２ｂは、図５に示されるウォッシャタンク５０の箱形の本体５０ａから図中上方に突出して配置された注入口５０ｂの先端部に段差をもって輪状の大径に形成されたホルダ抜止部５０ｃの外径寸法ｄ１よりもわずかに小さい内径寸法ｄ２をもつ。注入口取付部２ｂは、ウォッシャタンク５０の注入口５０ｂのホルダ抜止部５０ｃに嵌着されることによって、ホルダ２を注入口５０ｂに抜け止めしてウォッシャタンク５０に固定する機能をもつ。注入口取付部２ｂは、予め定められた規格寸法をもつウォッシャタンク５０の注入口５０ｂの外径寸法に対応して作成されるので、ウォッシャタンク５０の形状が変更されても、それらの注入口５０ｂに支障なく取付けられる。注入口取付部２ｂの外周部には、ヒンジ５の基端部が連設されている。
【００１２】
フィルタ取付部２ｃには、注入口取付部２ｂがウォッシャタンク５０の注入口５０ｂに嵌着されることによって注入口５０ｂ上に配置される座面２ｄが形成されている。この座面２ｄの内径寸法ｄ３は、フィルタ４に備えられたベース４ａの外径寸法ｄ４よりもわずかに大きい。座面２ｄは、フィルタ取付部２ｃの上面２ｃ１から一段下がって配置されている。この座面２ｄには、フィルタ４に備えられたベース４ａが置かれる。そして、フィルタ取付部２ｃには、図２に示されるように、円周上の等間隔の３個所に、内周部に向けてわずかに突出したフィルタ抜止部２ｅ，２ｅ，２ｅがそれぞれ形成されている。フィルタ抜止部２ｅのそれぞれは、この座面２ｄに置かれたフィルタ４のベース４ａが浮き上がらないように抜け止める機能をもつ。即ち、フィルタ取付部２ｃには、フィルタ４を抜け止めるフィルタ抜止部２ｅが円周上に所定の間隔を置いて内周部に突出するように複数個形成されている。（本実施例では１２０度間隔で３個形成されている。）
【００１３】
ホルダ本体２ａの外周部には、キャップ受２ｆが形成されている。このキャップ受２ｆの外径寸法ｄ５は、キャップ部３に形成されたホルダ嵌着部３ｅの内径寸法ｄ６よりもわずかに大きいので、このキャップ受２ｅにキャップ部３が着脱自在に装着される。
【００１４】
キャップ部３には、ヒンジ５の先端部が連設されている。キャップ部３には、円板形にされたキャップ本体３ａが備えられている。キャップ本体３ａは、図３に示されるように、わずかに湾曲している。ホルダ嵌着部３ｅは、キャップ本体３ａから円環形に突出している。ヒンジ５は、キャップ部３のホルダ嵌着部３ｅがホルダ２のホルダ本体２ａに形成したキャップ受２ｆに着脱自在に装着される際に変形される弾性をもつ。キャップ部３は、該キャップ受２ｆに装着されることによって、ウォッシャタンク５０の注入口５０ｂ及びフィルタ４を覆う。
【００１５】
フィルタ４には、円環形にされたベース４ａが備えられており、このベース４ａの内周部に網状のフィルタ本体４ｂが配置されている。
【００１６】
このような構造をもつウォッシャタンク用キャップ１は、ウォッシャタンク５０に装着されるに際し、まず、ホルダ２のホルダ本体２ａに形成した注入口取付部２ｂが、ウォッシャタンク５０の注入口５０ｂに嵌着される。そして、ウォッシャタンク５０の注入口５０ｂ内に配置されているホルダ２のホルダ本体２ａに形成したフィルタ取付部２ｃの座面２ｄ上にフィルタ４のベース４ａが置かれる。フィルタ４は、ホルダ本体２ａのフィルタ抜止部２ｅによって抜け止められる。そして、キャップ部３がホルダ本体２ａのキャップ受２ｆに装着される。
【００１７】
上述したように、ウォッシャタンク用キャップ１は、ウォッシャタンク５０の注入口５０ｂに嵌着されたホルダ２のフィルタ取付部２ｃにフィルタ４が固定され、ホルダ２のホルダ本体２ａに形成した注入口取付部にヒンジ５を介して樹脂で一体成形されたキャップ部３がホルダ２に着脱されるので、フィルタ４は、ウォッシャタンク５０の注入口５０ｂに固定されずにホルダ２に固定される。
【００１８】
【発明の効果】
以上説明してきたように、この発明に係るウォッシャタンク用キャップによれば、ホルダは、円環形にされたホルダ本体に形成された注入口取付部がウォッシャタンクの注入口に嵌着され、フィルタは、該フィルタの円環形にされたベースがホルダ本体に形成されたフィルタ取付部に固定され、ホルダ本体の注入口取付部とヒンジを介して樹脂で一体に成形されたキャップ部がホルダに着脱自在に装着される。それ故、フィルタは、ウォッシャタンクの注入口に固定されずにホルダに固定される。よって、フィルタを極めて容易に取付けることができるという優れた効果を奏する。
【図面の簡単な説明】
【図１】この発明に係るウォッシャタンク用キャップの第１実施例の縦断正面図である。
【図２】図１に示したウォッシャタンク用キャップのフィルタを取外した状態での平面図である。
【図３】図２の縦断面図である。
【図４】図２の底面図である。
【図５】図１に示したウォッシャタンク用キャップのウォッシャタンクとの組付け関係を説明する部分破断正面図である。
【符号の説明】
１      ウォッシャタンク用キャップ
２      ホルダ
２ａ    ホルダ本体
２ｂ    注入口取付部
２ｃ    フィルタ取付部
２ｄ    座面
２ｅ    フィルタ抜止部
２ｆ    キャップ受
３      キャップ部
３ｅ    ホルダ嵌着部
４      フィルタ
４ａ    ベース
５      ヒンジ
５０    ウォッシャタンク
５０ｂ  注入口
【図１】
0004009414.tif 000002
【図２】
0004009414.tif 000003
【図３】
0004009414.tif 000004
【図４】
0004009414.tif 000005
【図５】
0004009414.tif 000006